(57)【要約】【課題】  本発明の目的は、波長変換素子から光源へ戻る非変換光の量を減少させ、より明るい画像を投射することが可能な光源装置を提供することである。【解決手段】  光源装置が、青色光Ｂ１を青色光Ｂ１と波長が異なる蛍光光に変換し、蛍光光と、青色光Ｂ１と波長が同じ非変換光と、を射出する蛍光体７を備える。さらに、光源装置が、青色光Ｂ１を蛍光体７に導く特性を持つ領域４１と、非変換光が光源１へ向かうことを抑制する特性を持つ領域４２と、を有する遮光部４を備える。さらに、光源装置が、青色光Ｂ１を蛍光体７に導くとともに、蛍光光を光源１と異なる方向に導く特性を持つダイクロイックミラー５を備える。そして、遮光部４から蛍光体７に至る光路の途中にダイクロイックミラー４が設けられており、青色光Ｂ１は遮光部４の領域４１に入射し、非変換光は領域４１及び領域４２に入射する。【選択図】  図２
2015145976.tif 000002
【特許請求の範囲】
【請求項１】
光源からの光を前記光源からの光と波長が異なる変換光に変換し、前記変換光と、前記光源からの光と波長が同じ非変換光と、を射出する波長変換素子と、
前記光源からの光を前記波長変換素子に導く特性を持つ第１領域と、前記非変換光が前記光源へ向かうことを抑制する特性を持つ第２領域と、を有する第１の光学素子と、
前記光源からの光を前記波長変換素子に導くとともに、前記変換光を前記光源と異なる方向に導く特性を持つ第２の光学素子と、を備え、
前記第１の光学素子から前記波長変換素子に至る光路の途中に前記第２の光学素子が設けられており、
前記光源からの光は前記第１の光学素子の前記第１領域に入射し、
前記非変換光は前記第１領域及び前記第２領域に入射するように構成されていることを特徴とする光源装置。
【請求項２】
前記第２領域には光を遮光する遮光手段が設けられていることを特徴とする請求項１に記載の光源装置。
【請求項３】
前記第２領域には光を反射する反射手段が設けられていることを特徴とする請求項１または２に記載の光源装置。
【請求項４】
前記第１の光学素子から前記第２の光学素子に至る光路の途中に設けられた第３の光学素子をさらに備え、
前記第３の光学素子は前記光源からの光を透過する透過領域と、前記光源からの光と波長が同じ光を反射する反射領域と、を備えることを特徴とする請求項１乃至３のいずれか１項に記載の光源装置。
【請求項５】
前記光源からの光を平行光化するコリメータレンズユニットをさらに備えることを特徴とする請求項１乃至４のいずれか１項に記載の光源装置。
【請求項６】
前記光源からの光を前記波長変換素子に導くとともに、前記変換光及び前記非変換光を前記第２の光学素子に導くために、正のパワーを持つように構成された第１のレンズユニットをさらに備えることを特徴とする請求項１乃至５のいずれか１項に記載の光源装置。
【請求項７】
前記光源が複数の発光点を含んでおり、
前記複数の発光点からの光を圧縮し、前記第１領域に導くように構成された第２のレンズユニットをさらに備えることを特徴とする請求項１乃至６のいずれか１項に記載の光源装置。
【請求項８】
光変調素子と、
請求項１乃至７のいずれか１項に記載の光源装置からの光を前記光変調素子に導く照明光学系と、を備えることを特徴とする画像表示装置。
【発明の詳細な説明】
【技術分野】
【０００１】
本発明は、光源装置およびこれを用いた画像表示装置に関する発明である。特にＬＤ（レーザーダイオード）光源などを用いた光源装置と、この光源装置を用いたプロジェクターなどの投射型表示装置に関する発明である。
【背景技術】
【０００２】
近年、ＬＤ光源からの青色光を緑色光及び赤色光に変換する蛍光体を用いて、カラー画像を表示可能なプロジェクターが開発されている。
【０００３】
このようなプロジェクターとして、特許文献１及び２がある。
【０００４】
特許文献１では、蛍光光として発せられる緑色光及び赤色光に加えて、ＬＤ光源からの青色光を用いて、カラー画像を表示する技術が開示されている。ＬＤ光源からの青色光が透過可能な拡散層と、蛍光体として作用する蛍光層と、をもつ蛍光ホイールを回転させる。ＬＤ光源からの青色光が拡散層に照射された場合は、青色光が蛍光層を透過し、反射ミラーにより照明光学系に導かれる。一方、ＬＤ光源からの青色光が蛍光層に照射された場合は、緑色光及び赤色光が光源方向に発せられ、ダイクロイックミラーにより照明光学系に導かれる。
【０００５】
特許文献２では、蛍光光として発せられる緑色光及び赤色光に加えて、ＬＤ光源とは別に設けられた青色ＬＥＤが発する青色光を用いる。これにより、カラー画像を表示する技術が開示されている。
【先行技術文献】
【特許文献】
【０００６】
【特許文献１】特開２０１１−１７０３６２号公報
【特許文献２】特開２０１２−８５４９号公報
【発明の概要】
【発明が解決しようとする課題】
【０００７】
前述のように、蛍光体はＬＤ光源からの青色光の波長を緑色光及び赤色光の波長に変換するが、全ての青色光が波長を変換されるわけではない。実際には、蛍光体で波長が変換されずに蛍光体からＬＤ光源へ戻る非変換光もある。
【０００８】
前述の特許文献１及び２に開示されている構成において、非変換光は、ＬＤ光源に戻り、ＬＤ光源の温度を上昇させ、ＬＤ光源の発光効率を低下させるおそれがあった。このため、ＬＤ光源に戻る非変換光は、投射する画像の明るさを損ねるといった機能低下の一因となるおそれがあった。
【０００９】
そこで、本発明の目的は、波長変換素子から光源へ戻る非変換光の量を減少させ、より明るい画像を投射することが可能な光源装置を提供することである。
【課題を解決するための手段】
【００１０】
上記目的を達成するために、本発明の光源装置は、
光源からの光を前記光源からの光と波長が異なる変換光に変換し、前記変換光と、前記光源からの光と波長が同じ非変換光と、を射出する波長変換素子と、
前記光源からの光を前記波長変換素子に導く特性を持つ第１領域と、前記非変換光が前記光源へ向かうことを抑制する特性を持つ第２領域と、を有する第１の光学素子と、
前記光源からの光を前記波長変換素子に導くとともに、前記変換光を前記光源と異なる方向に導く特性を持つ第２の光学素子と、を備え、
前記第１の光学素子から前記波長変換素子に至る光路の途中に前記第２の光学素子が設けられており、
前記光源からの光は前記第１の光学素子の前記第１領域に入射し、
前記非変換光は前記第１領域及び前記第２領域に入射するように構成されていることを特徴とする。
【発明の効果】
【００１１】
本発明によれば、波長変換素子から光源へ戻る非変換光の量を減少させ、より明るい画像を投射することが可能な光源装置を提供することができる。
【図面の簡単な説明】
【００１２】
【図１】本発明の実施例で示す光源装置を搭載可能な投射型表示装置の構成説明図
【図２】本発明の第１実施例で用いる光源からの光および蛍光光のスペクトル特性図
【図３】本発明の第１実施例で用いるダイクロイックミラーの分光反射特性図
【図４】本発明の第１実施例の遮光部の説明図
【図５】本発明の第２実施例で示す光源装置の構成説明図
【図６】本発明の第３実施例で示す光源装置の構成説明図
【図７】本発明の第４実施例で示す光源装置の構成説明図
【図８】本発明の第５実施例で示す光源装置の構成説明図
【発明を実施するための形態】
【００１３】
以下に図面を参照して、この発明の好適な実施の形態を例示的に説明する。ただし、この実施の形態に記載されている構成部品の形状それらの相対配置などは、この発明が適用される装置の構成や各種条件により適宜変更されるべきものである。すなわち、構成部品の形状などは、この発明の範囲を以下の実施の形態に限定する趣旨で規定されたものではない。
【００１４】
〔投射型表示装置構成の説明〕
まず、図１を用いて、本発明の実施例で示す光源装置を搭載可能な投射型表示装置１００の構成について説明する。
【００１５】
表示装置（投射型表示装置）１００は、光源装置２１と、偏光板２０と、ダイクロイックミラー２２と、位相差板（波長選択性位相差板）２３と、ＰＢＳ（偏光ビームスプリッター）１０（１０ａ、１０ｃ）と、を備える。
【００１６】
さらに、表示装置１００は、１／４λ板２４（赤色用１／４λ板２４ｒ、緑色用１／４λ板２４ｇ、青色用１／４λ板２４ｂ）を備える。
【００１７】
さらに、表示装置１００は、光変調素子である液晶パネル（反射型液晶パネル）２５（赤色用液晶パネル２５ｒ、緑色用液晶パネル２５ｇ、青色用液晶パネル２５ｂ）と、を備える。
【００１８】
さらに、表示装置１００は、ダイクロイックプリズム２６と、投射レンズ３０と、を備える。すなわち、表示装置１００は、いわゆる反射型液晶プロジェクターである。
【００１９】
光源装置２１は、後述の本発明の実施例のいずれか１つに示す光源装置である。
【００２０】
偏光板２０は、光源装置２１からの白色光１１（赤色光１１ｒ、緑色光１１ｇ、青色光１１ｂ）のうち、ｓ偏光光１２（赤色ｓ偏光光１２ｒ、緑色ｓ偏光光１２ｇ、青色ｓ偏光光１２ｂ）のみを透過するような構成になっている。
【００２１】
ダイクロイックミラー２２は、緑色の波長帯域の光を透過し、赤色及び青色の波長帯域の光を透過するような反射率特性を持つ構成になっている。
【００２２】
位相差板２３は、青色の波長帯域の偏光光については、偏光方向を変換せずに透過させる。一方、赤色の波長帯域の偏光光については、偏光方向を９０度変換するように構成されている。
【００２３】
ＰＢＳ１０は、ｓ偏光光を反射し、ｐ偏光光を透過するような構成である。
【００２４】
１／４λ板２４は、斜入射光に対して往復でλ／２の位相差を与えることで、斜入射光に対するＰＢＳ１０での検光効果を上げる。
【００２５】
液晶パネル２５は、液晶パネル２５に入射した光を画像信号に応じて偏光方向を変換する。さらに、液晶パネル２５は、液晶パネル２５によって偏光方向を変換された光である画像光１３（赤画像光１３ｒ、緑画像光１３ｇ，青画像光１３ｂ）を発する。
【００２６】
ダイクロイックプリズム２６は、緑色の波長帯域の光を反射し、赤色及び青色の波長帯域の光を透過するような反射率特性を持つ構成になっている。
【００２７】
投射レンズ３０は、ダイクロイックプリズム２６で合成された光をスクリーンなどに導くように構成されている。
【００２８】
光源装置２１からの白色光１１が、投射レンズ３０に至るまでを説明する。
【００２９】
光源装置２１からの白色光１１のうち、ｓ偏光光のみが偏光板２０を透過し、ダイクロイックミラー２２に導かれる。ｓ偏光光１２のうち、緑色ｓ偏光光１２ｇは反射され、ＰＢＳ１０ａに導かれ、赤色ｓ偏光光１２ｒ及び青色ｓ偏光光１２ｂはダイクロイックミラー２２を透過し、ＰＢＳ１０ｃに導かれる。
【００３０】
ＰＢＳ１０ａに導かれた緑色ｓ偏光光１２ｇは、ＰＢＳ１０ａによって反射され、緑色用１／４λ板２４ｇに導かれる。緑色ｓ偏光光１２ｇは、緑色用液晶パネル２５ｇによって偏光方向を変換され、反射される。緑色用液晶パネル２５ｇからの光のうち、ｐ偏光光は、緑色画像光１３ｇとして、ダイクロイックプリズム２６に導かれる。
【００３１】
ＰＢＳ１０ｃに導かれた赤色ｓ偏光光１２ｒ及び青色ｓ偏光光１２ｂも、前述の緑色ｓ偏光光１２ｇと同様に、赤色画像光１３ｒ及び青色画像光１３ｂとしてダイクロイックプリズム２６に導かれる。
【００３２】
ダイクロイックプリズム２６に導かれた画像光１３を合成し、投射レンズ３０に、合成された画像光１３を導くことで、カラー画像をスクリーンなどに投射表示することが可能となる。
【００３３】
以下、光源装置２１に適用可能な構成について説明する。
【００３４】
本発明の実施例で示す光源装置は、光源ユニット（光源）１１と、コリメータレンズユニット２２と、圧縮レンズユニット（第２のレンズユニット）３と、遮光部（第１の光学素子）４と、を備える。さらに、本発明の実施例で示す光源装置は、ミラー（第２の光学素子）５と、集光レンズユニット（第１のレンズユニット）６と、蛍光体（波長変換素子）７と、を備える。
【００３５】
光源ユニット１１は複数の光源１（複数の発光点）を含んでおり、本発明の実施例において光源１はＬＤ光源である。光源１は、図３（ａ）に示すように、波長が４４８ｎｍの青色光を発する。すなわち、本発明の実施例において、光源からの光は青色光である。
【００３６】
蛍光体７は、光源からの光を光源からの光と波長が異なる蛍光光（変換光）に変換し、蛍光光と、光源からの光と波長が同じ非変換光と、を射出する。蛍光光は、図３（ｂ）に示すように、主に緑色光と赤色光である。
【００３７】
遮光部４は、光源からの光を蛍光体７に導く特性を持つ領域４１（第１領域）と、非変換光が光源１へ向かうことを抑制する特性を持つ領域４２（第２領域）と、を有する光学素子である。
【００３８】
ミラー５は、光源からの光を蛍光体７に導くとともに、蛍光光を光源１と異なる方向に導く特性を持つ光学素子である。
【００３９】
コリメータレンズユニット２２は、複数のコリメータレンズ２で構成されており、光源ユニット１１からの光を略平行光化する。
【００４０】
集光レンズユニット６は、光源ユニット１１からの光を蛍光体７に導くとともに、蛍光光及び非変換光をミラー５に導くために、正のパワーを持つように構成されている。なお、本発明の実施例において、レンズユニット４は合計４枚のレンズで構成されている。
【００４１】
圧縮レンズユニット３は、光源ユニット１１からの光を圧縮し、領域４１に導くように構成されている。
【００４２】
〔第１実施例〕
図２は、本発明の第１実施例で示す光源装置の構成を説明する図である。
【００４３】
各構成要素は、光源ユニット１１からみて、光源ユニット１１、コリメータレンズユニット２２、圧縮レンズユニット３、遮光部４、ミラー５、集光レンズユニット６、そして蛍光体７の順番に一直線上に並んでいる。すなわち、光源ユニット１１からミラー５へ向かう方向に蛍光体７が設けられている。具体的には、圧縮レンズユニット３は、光源ユニット１１とミラー５の間に、集光レンズユニット６は、ミラー５と蛍光体７の間に設けられている。
【００４４】
まず、光源ユニット１１からの光がミラー５に至るまでを図２（ａ）を用いて説明する。光源ユニット１１からの光である青色光Ｂ１はコリメータレンズユニット２２によって略平行光化され、圧縮レンズユニット３に入射する。図２（ａ）に示すように、圧縮レンズユニット３は、光源ユニット１１に近い方のレンズ３ａと、光源ユニット１１から遠い方のレンズ３ｂの合計２枚のレンズから構成されている。レンズ３ａは正のパワーを持つレンズであり、コリメータレンズユニット２２からの平行光を、レンズ３ｂに入射するように屈折させる。レンズ３ｂはレンズ３ａからの光を略平行光化し、ミラー５へと導く。すなわち、圧縮レンズユニット３はアフォーカル光学系であり、このような構成により、青色光Ｂ１の光束径を細くしてミラー５に導くことが可能となる。
【００４５】
次に、青色光Ｂ１がミラー５から蛍光体７に至るまでを説明する。ミラー５は、図４に示すように、青色光Ｂ１を透過し、青色光Ｂ１よりも波長が長い可視光を反射するような反射率特性をもつダイクロイックミラーである。したがって、ミラー５に入射した青色光Ｂ１はミラー５を透過し、集光レンズユニット６に導かれる。集光レンズユニット６に入射した青色光Ｂ１は、集光レンズユニット６によって蛍光体７の面上に集光する（光源像を結ぶ）ように導かれ、蛍光体７に至る。
【００４６】
次に、蛍光体７が青色光Ｂ１の一部を青色光Ｂ１と波長が異なる蛍光光に変換し、その蛍光光と、青色光Ｂ１と波長が同じ非変換光と、を射出するまでを説明する。蛍光体７は、ＹＡＧ（イットリウム・アルミニウム・ガーネット）系を主材料としており、青色光Ｂ１を励起光として、図３（ｂ）に示されるようなスペクトルの光を蛍光光として発する。すなわち、本実施例において、蛍光光は緑色光および赤色光である。また、蛍光体７に入射した青色光Ｂ１のすべてが蛍光光に変換されるわけではなく、波長が同じまま変換されない非変換光も存在している。すなわち、本実施例において、非変換光は青色光である。なお、蛍光体７はミラーや金属などに固定されているため、透過する光はなく、全ての光が反射される。
【００４７】
次に、蛍光体７が発する蛍光光がミラー５に至り、照明光学系に導かれるまでを図２（ｂ）を用いて説明する。蛍光光及び非変換光は、蛍光体７から集光レンズユニット６に向かう際に、射出方向を定めずに、ランダムな方向に射出される。ランダムな方向に射出される蛍光光及び非変換光を平行光化し、蛍光体７からミラー５へ導くために、蛍光体７とミラー５の間に、集光レンズユニット６が配置されている。蛍光体７からミラー５に導かれる蛍光光ＲＧ５は、前述のように緑色光及び赤色光である。また、前述のように、ミラー５は、青色光Ｂ１を透過し、青色光Ｂ１よりも波長が長い可視光を反射するような反射率特性をもつダイクロイックミラーである。したがって、蛍光光ＲＧ５は青色光Ｂ１よりも波長が長いために、ミラー５によって反射される。本実施例においては、蛍光光ＲＧ５がミラー５によって導かれた方向には、照明光学系（不図示）が設けられている。
【００４８】
次に、蛍光体７が発する非変換光が遮光部４に至って光源ユニット１１に戻る、あるいは、遮光部４に遮光されるまでを図２（ｂ）及び図５を用いて説明する。前述のように、非変換光は集光レンズユニット６によって略平行光されて射出される。このとき、非変換光は、青色光Ｂ１よりも断面積が大きくなって集光レンズユニット６から射出される。具体的には、図５に示すように、断面積ＳＯＵＴが断面積ＳＩＮよりも大きい。ここで、断面積ＳＯＵＴとは、集光レンズユニット６の光軸と垂直な平面（図５における紙面と平行な平面）Ｓにおける集光レンズユニット６から射出される光束（蛍光光及び非変換光）の断面積である。また、断面積ＳＩＮは、平面Ｓにおける遮光部４から射出される光束の断面積である。言い換えれば、非変換光は、図５に示すように、領域４１（第１領域）及び領域４２（第２領域）に入射する。遮光部４の構成については、後述のとおりである。
【００４９】
蛍光体７が発する非変換光は青色光Ｂ１と波長が同じであるため、ミラー５を透過して遮光部４に至る。ここで、遮光部４の構成について図５を用いて説明する。図５に示すように、遮光部４は、青色光Ｂ１を蛍光体７に導く特性を持つ領域４１（第１領域）と、非変換光が光源ユニット１１へ向かうことを抑制する特性を持つ領域４２（第２領域）と、を備えている。本実施例において領域４１には開口部が設けられており、開口部には前述の圧縮レンズユニット３のうちレンズ３ｂが設けられている。なお、レンズ３ｂは前述のミラー５のようなダイクロイックミラー特性は持たず、波長によらず光を透過する。また、領域４２には少なくとも青色光Ｂ１と波長が同じ光を遮光する遮光ガラスが設けられている。
【００５０】
遮光部４において、領域４１を平面Ｓに垂直に投影した投影面積Ｓ４１は、断面積ＳＩＮよりも大きい。このため、非変換光のうち領域４１に入射する非変換光Ｂ４１は領域４１を透過し、光源ユニット１１に戻る。同様に、領域４２を平面Ｓに垂直に投影した投影面積Ｓ４２は、断面積ＳＯＵＴよりも大きい。このため、非変換光のうち領域４２に入射する非変換光Ｂ４２は領域４２に設けられた遮光ガラスによって遮光される。このように、領域４１及び領域４２を備える遮光部４によって、青色光Ｂ１を蛍光体７へ導くとともに、非変換光Ｂ４２が光源ユニット１１へ戻ることを抑制することが可能となる。
【００５１】
このように、本実施例においては、断面積ＳＯＵＴが断面積ＳＩＮよりも大きいことで、蛍光体７から光源ユニット１１へ戻る非変換光の量を減少させることが可能となる。蛍光体７から光源ユニット１１へ戻る非変換光の量を減少させるためには、断面積ＳＯＵＴと断面積ＳＩＮとが、
ＳＩＮ／ＳＯＵＴ  ＜  ０．８
を満たすことが好ましい。
【００５２】
さらに、断面積ＳＯＵＴと断面積ＳＩＮとが、
ＳＩＮ／ＳＯＵＴ  ＜  ０．５
を満たすとより好ましい。
【００５３】
〔第２実施例〕
図６は、本発明の第２実施例で示す光源装置の構成を説明する図である。本実施例と前述の第１実施例との違いは、遮光部４からミラー５に至る光路の途中に設けられた折り返しミラー（第３の光学素子）８をさらに備えることである。すなわち、折り返しミラー８は、遮光部４とミラー５の間に設けられている。折り返しミラー８は、図５に示すように、青色光Ｂ１と波長が同じ光を透過する領域（透過領域）８１と、青色光Ｂ１と波長が同じ光を反射する領域（反射領域）８２と、を備える。
【００５４】
蛍光体７が発する非変換光がミラー５に至るまでは、前述の第１実施例と同様である。本実施例においては、ミラー５を透過した非変換光は、折り返しミラー８に至る。非変換光のうち、領域８１に入射する光Ｂ８１は、領域８１と遮光部４の領域４１を透過し、光源ユニット１１に戻る。一方、非変換光のうち、領域８２に入射する光Ｂ８２は、領域８２に設けられたミラーによって再び蛍光体７に入射し、蛍光体７を励起させることが可能となる。
【００５５】
このように、本実施例は、遮光部４からミラー５に至る光路の途中に設けられた折り返しミラー８をさらに備える。これにより、非変換光の一部を励起光として再利用することが可能となり、前述の第１実施例と比較して、光利用効率をより高くすることが可能となる。
【００５６】
〔第３実施例〕
図７は、本発明の第３実施例で示す光源装置の構成を説明する図である。本実施例で示す光源装置は、本発明の第１実施例で示す光源装置と同様に、光源ユニット１１、コリメータレンズユニット２２、圧縮レンズユニット３、遮光部４、ミラー５、集光レンズユニット６、そして蛍光体７を備えている。
【００５７】
本実施例と前述の第１実施例との違いは、光源ユニット１１と蛍光体７の位置関係である。前述の第１実施例においては、光源ユニット１１、ミラー５、蛍光体７が一直線に並んでいる構成を例示した。それに対して、本実施例においては、光源ユニット１１、ミラー５、蛍光体７が一直線に並んでいない構成を例示している。すなわち、青色光Ｂ１がミラー５によって反射された方向に蛍光体７が設けられている。
【００５８】
まず、青色光Ｂ１が蛍光体７に至るまでを図７を用いて説明する。青色光Ｂ１がミラー５に至るまでは、前述の第１実施例と同様である。しかし、本実施例においては、ミラー５は、図８に示すように、青色光Ｂ１を反射し、青色光Ｂ１よりも波長が長い可視光を透過するような反射率特性をもつダイクロイックミラーである。従って、青色光Ｂ１はミラー５によって反射され、集光レンズユニット６に導かれ、前述の第１実施例と同様に、集光レンズユニット６によって蛍光体７の面上に集光する。
【００５９】
蛍光体７が青色光Ｂ１の一部を青色光Ｂ１と波長が異なる蛍光光に変換し、その蛍光光と、青色光Ｂ１と波長が同じ非変換光と、を射出する点は、前述の第１実施例と同様である。
【００６０】
次に、蛍光体７が発する蛍光光がミラー５に至り、照明光学系に導かれるまでを図７を用いて説明する。蛍光光が集光レンズユニット６からミラー５に向かうまでは、前述の第１実施例と同様である。しかし、本実施例においては、前述のように、ミラー５は、青色光Ｂ１を反射し、青色光Ｂ１よりも波長が長い可視光を透過するような反射率特性をもつ。このため、蛍光光はミラー５を透過し、照明光学系に導かれる。
【００６１】
次に、蛍光体７が発する非変換光が遮光部４に至って光源ユニット１１に戻る、あるいは、遮光部４に吸収されるまでを説明する。非変換光が集光レンズユニット６からミラー５に向かうまでは、前述の第１実施例と同様である。しかし、本実施例においては、前述のように、ミラー５は、青色光Ｂ１を反射し、青色光Ｂ１よりも波長が長い可視光を透過するような反射率特性を持つ。このため、非変換光はミラー５によって反射され、遮光部４に至る。本実施例において、前述の第１実施例と同様に、非変換光のうち領域４１に入射する非変換光Ｂ４１は領域４１を透過し、光源ユニット１１に戻る。さらに、本実施例において、前述の第１実施例と同様に、非変換光のうち領域４２に入射する非変換光Ｂ４２は領域４２に設けられた遮光レンズによって遮光される。
【００６２】
このように、本実施例においても、前述の第１実施例と同様に、領域４１及び領域４２を備える遮光部４によって、青色光Ｂ１を蛍光体７へ導くことが可能となる。さらに、非変換光Ｂ４２が光源ユニット１１へ戻ることを抑制することが可能となる。
【００６３】
〔他の実施形態〕
前述した実施例では、本発明の実施例で示す光源装置を搭載可能な画像表示装置の構成として、反射型液晶プロジェクターの構成を例示した。しかし、本発明はこれに限定されるものではない。画像表示装置であれば、例えば、透過型液晶パネルを用いたプロジェクターなどであっても良い。
【００６４】
また、前述した実施例では、本発明の実施例で示す光源装置を搭載可能な投射型表示装置の構成として、光源装置からの光が、まず、偏光板に入射する構成を例示した。しかし、本発明はこれに限定されるものではない。投射型表示装置であれば、例えば、偏光板の代わりに、フライアイレンズなどを用いたインテグレータと、非偏光光を直線偏光光に変換する偏光変換素子などを配置しても良い。
【００６５】
また、前述した実施例では、本発明の実施例で示す光源装置を搭載可能な投射型表示装置の構成として、投射レンズを備える構成を例示した。しかし、本発明はこれに限定されるものではない。投射型表示装置であれば、例えば、着脱可能な投射レンズを用いる構成などでも良い。
【００６６】
また、前述した実施例では、青色光を発するＬＤ光源を用いた光源装置の構成を例示したが、本発明はこれに限定されるものではない。青色の波長帯域の光を発するような光源であれば、例えば、青色ＬＥＤ光源などであっても良い。また、カラー画像を表示可能な構成であれば、たとえば緑色光や赤色光などを発するＬＤ光源などを用いても良い。
【００６７】
また、前述した実施例では、白色光（可視光）を照明光学系に導くように構成された光源装置及び投射型表示装置の構成を例示したが、本発明はこれに限定されるものではない。可視光以外にも、赤外光及び紫外光のみを投射する、赤外光及び紫外光に加えて可視光も投射するような構成の投射型表示装置などであっても良い。あるいは、そのような投射型表示装置に搭載される光源装置などであっても良い。
【００６８】
また、前述した実施例では、開口部と遮光ガラスとを備える構成の遮光部を用いた光源装置の構成を例示したが、本発明はこれに限定されるものではない。光源へ戻る非変換光の量を減少させる構成であれば、例えば、開口部とミラーとを備える構成の遮光部を備える構成などであっても良い。開口部とミラーとを備える構成の遮光部においては、前述の第２実施例と同様に、非変換光の一部を励起光として再利用することが可能である。
【００６９】
また、前述した実施例では、青色光を透過し、青色光よりも波長が長い可視光を反射する特性をもつダイクロイックミラーを用いた光源装置の構成を例示した。しかし、本発明はこれに限定されるものではない。光源へ戻る非変換光の量を減少させる構成であれば、ダイクロイックミラーの反射率特性については、光源からの光の波長などに合わせて適宜変更しても良い。また、ダイクロイックミラーの代わりに、ＰＢＳなどを用いた構成であっても良い。ダイクロイックミラーの代わりにＰＢＳを用いた構成では、光源からの光のうち第１の偏光方向の光を蛍光体に導き、非変換光のうち、第１の偏光方向と偏光方向が異なる第２の偏光方向の光を、光源と異なる方向に導くことが可能である。これにより、非変換光の一部を照明光学系に導くことが可能となる。
【００７０】
また、前述した実施例では、正のパワーを持つ圧縮レンズユニットとして、４枚のレンズからなる圧縮レンズユニットの構成を例示したが、本発明はこれに限定されるものではない。圧縮レンズユニット全体として正のパワーを持つような構成であれば、４枚未満あるいは４枚よりも多い枚数のレンズを備える構成であっても良い。すなわち、圧縮レンズが１枚の場合には、圧縮レンズユニットは複数の圧縮レンズを持つ圧縮レンズ群ではなく、１枚の圧縮レンズを示す。
【００７１】
また、前述した実施例では、本発明の実施例で示す光源装置を搭載可能な投射型表示装置の構成を例示したが、本発明はこれに限定されるものではない。本発明の実施例で示し光源装置を、例えば、液晶ディスプレイ、電子ビューファインダー用のバックライトなどとして搭載しても良い。
【符号の説明】
【００７２】
４  遮光部（第１の光学素子）
５  ミラー（第２の光学素子）
７  蛍光体（波長変換素子）
４１  領域（第１領域）
４２  領域（第２領域）
【図１】
2015145976.tif 000003
【図２】
2015145976.tif 000004
【図３】
2015145976.tif 000005
【図４】
2015145976.tif 000006
【図５】
2015145976.tif 000007
【図６】
2015145976.tif 000008
【図７】
2015145976.tif 000009
【図８】
2015145976.tif 000010